【誤訳訂正書】
【提出日】平成30年12月5日(2018.12.5)
【誤訳訂正１】
【訂正対象書類名】特許請求の範囲
【訂正対象項目名】全文
【訂正方法】変更
【訂正の内容】
【特許請求の範囲】
【請求項１】
電力を生成するためのプロセスであって、
注入ウェルを通じて第１の熱伝導流体を第２の熱伝導流体を含む地熱で加熱された層に注入するステップと、
前記注入ウェルと流体接続され前記地熱で加熱された層内に配置される中間ウェル経路において間接的な熱交換を介して前記第１の熱伝導流体を加熱するステップと、
前記中間ウェル経路と流体接続した生成ウェルを通じて前記加熱された第１の熱伝導流体を回収するステップと、
前記注入ウェルと前記生成ウェルに流体接続した電力生成ユニット内において前記回収された加熱された熱伝導流体内に含まれた熱エネルギーを変換するステップと、を備え、
中間ウェル掘削孔内にケーシングまたはパイプを配置するステップをさらに備え、
前記中間ウェルケーシングまたはパイプを開口するステップと、
前記中間ウェルケーシングまたはパイプのスペース内に１またはそれ以上の流体導管を配置し、前記流体導管は前記注入ウェルと前記生成ウェルを流体接続するステップと、をさらに備え、
前記開口するステップは、前記中間ウェルケーシングまたはパイプが前記中間ウェルケーシングまたはパイプの開口を通じて前記スペース内へまたは前記スペースから外へ前記第２の熱伝導流体の流れを許容するように前記中間ウェルケーシングまたはパイプを開口することを備えるプロセス。
【請求項２】
地表面から前記地熱で加熱された層内で前記注入ウェルに向けて、第１の深さに第１の掘削孔を掘削するステップと、
地表面から前記生成ウェルに向けて、第２の深さに第２の掘削孔を掘削するステップと、
前記第１の掘削孔と前記第２の掘削孔を接続する前記中間ウェル掘削孔を掘削するステップと、
をさらに備える請求項１に記載のプロセス。
【請求項３】
前記中間ウェル掘削孔に近い層を破砕するステップをさらに備える、請求項２に記載のプロセス。
【請求項４】
前記第２の深さは前記第１の深さよりも小さく、前記中間ウェル掘削孔は水平線に対して７０度以下の角度で掘削される、請求項２に記載のプロセス。
【請求項５】
前記電力生成ユニットから前記注入ウェルへ前記第１の熱伝導流体を再循環させるステップをさらに備える、請求項１に記載のプロセス。
【請求項６】
前記第１の熱伝導流体は１またはそれ以上の二酸化炭素、窒素、アンモニアおよび／または炭素数Ｃ１からＣ６を有するアミン、炭素数Ｃ１からＣ８を有する炭化水素、炭素数Ｃ１からＣ１０と塩素またはフッ素と置換される１またはそれ以上の水素とを有する炭化水素を備え、
前記第２の熱伝導流体は水、塩水または層の温度および圧力状態において液体である炭化水素を備える、請求項１に記載のプロセス。
【請求項７】
前記第２の熱伝導流体は前記地熱で加熱された層内で自然発生する、請求項５に記載のプロセス。
【請求項８】
前記第２の熱伝導流体は前記地熱で加熱された層に注入される、請求項５に記載のプロセス。
【請求項９】
前記第２の熱伝導流体の流れを前記地熱で加熱された層内で励起するステップをさらに備える、請求項１に記載のプロセス。
【請求項１０】
前記第１の熱伝導流体を、前記注入ウェルを介して注入し、前記中間ウェルパイプ内で加熱し、前記生成ウェルを通じて回収し、前記電力生成ユニット内で電力生成し、前記注入ウェルに再注入する電力生成サイクルを通じて超臨界流体として維持するステップをさらに備える、請求項１に記載のプロセス。
【請求項１１】
電力生成のためのプロセスであって、
注入ウェル、中間ウェル経路、生成ウェルおよび電力生成ユニットを含む閉鎖ループシステムを通じた超臨界の二酸化炭素を循環するステップと、
自然発生または人工発生した熱伝導流体を含有する地熱で加熱された層で間接的熱交換を介して超臨界の二酸化炭素を加熱するステップと、
電力生成ユニット内で電力生成するために加熱された超臨界の二酸化炭素に含まれた熱エネルギーを変換するステップと、を備え、
前記中間ウェル経路内に開口ケーシングまたはパイプを配置するステップと、
前記開口ケーシングまたはパイプを開口するステップと、
前記開口ケーシングまたはパイプのスペース内に１またはそれ以上の流体導管を配置し、前記流体導管は前記注入ウェルと前記生成ウェルを流体接続するステップと、をさらに備え、
前記開口するステップは、前記開口ケーシングまたはパイプが前記開口ケーシングまたはパイプの開口を通じて前記スペース内へまたは前記スペースから外へ前記熱伝導流体の流れを許容するように前記ケーシングまたはパイプを開口することを備えるプロセス。
【請求項１２】
前記中間ウェル経路は前記開口ケーシングまたはパイプ内に配置された複数の前記流体導管を備える、請求項１１に記載のプロセス。
【請求項１３】
前記循環するステップは機械的ポンピングなしで実行される、請求項１１に記載のプロセス。
【請求項１４】
前記熱伝導流体の流れを励起するステップをさらに備える、請求項１１に記載のプロセス。
【請求項１５】
電力生成システムであって、
第１の熱伝導流体を、第２の熱伝導流体を含む地熱で加熱された層へおよび層から運搬するために注入ウェルおよび生成ウェルと、
前記注入ウェルと前記生成ウェルを流体接続し、前記第１の熱伝導流体と前記第２の熱伝導流体を流体分離する中間ウェル経路であって前記第１の熱伝導流体が前記地熱で加熱された層および前記第２の熱伝導流体によって非直接的に加熱されるよう前記第２の熱伝導流体を含む前記地熱で加熱された層内に配置される中間ウェル経路と、
加熱された前記第１の熱伝導流体から電力生成するよう設計された電力生成ユニットと、を備え、
前記中間ウェル経路は、開口ケースまたはパイプと、前記開口ケースまたはパイプのスペース内に配置された１またはそれ以上の流体導管と、を備え、
前記開口ケースまたはパイプの開口は、前記スペース内へまたは前記スペースから外へ前記第２の熱伝導流体の流れを許容するシステム。
【請求項１６】
前記第１の熱伝導流体は１またはそれ以上の二酸化炭素、窒素、アンモニア、および／または炭素数Ｃ１からＣ６を有するアミン、炭素数Ｃ１からＣ８を有する炭化水素、炭素数Ｃ１からＣ１０と塩素またはフッ素に置換される１またはそれ以上の水素とを有する炭化水素を備え、
前記第２の熱伝導流体は水、塩水または層温度および圧力状態において液体である炭化水素を備える、請求項１５に記載のシステム。
【請求項１７】
前記中間ウェル経路は前記地熱で加熱された層を通じ水平方向からプラスマイナス７０度の角度範囲で伸びる、請求項１５に記載のシステム。
【請求項１８】
前記中間ウェル経路は前記開口ケースまたはパイプ内に配置される複数の前記流体導管を備える、請求項１５に記載のシステム。
【請求項１９】
前記システムは電力生成サイクルを通じて前記第１の熱伝導流体を超臨界の流体として維持するよう設計された閉鎖ループシステムである、請求項１５に記載のシステム。
【請求項２０】
２またはそれ以上の注入ウェルと２またはそれ以上の生成ウェルを備える、請求項１５に記載のシステム。
【請求項２１】
さらに２またはそれ以上の電力生成ユニットを備え、前記電力生成ユニットは注入ウェル、中間ウェル経路および生成ウェルを介して流体連結される、請求項２０に記載のシステム。
【請求項２２】
さらに１またはそれ以上の電力生成ユニットを流体分離するよう設計されたバルブおよび制御を備える、請求項２１に記載のシステム。
【誤訳訂正２】
【訂正対象書類名】明細書
【訂正対象項目名】全文
【訂正方法】変更
【訂正の内容】
【発明の詳細な説明】
【発明の名称】地熱を発生させるプロセスおよび方法
【技術分野】
【０００１】
地熱分野における中心的なパラドックスは、潜在的な地熱はすべての化石燃料を合わせたよりも少なくとも一定規模大きいにも関わらず、実務上は全体的なエネルギーポートフォリオ上地熱は約１％のみしか構成しない点にある。従来の地熱は電力を生み出すタービンを動かすために地熱で温められた水を活用する。しかしながら、潜在的な地熱電力生成と実際の地熱電力生成との差異を埋める地熱電力生成のコスト効率の良い適切な熱、水および岩石透過性を有する場所は比較的少ない。
【背景技術】
【０００２】
自然の地熱場所の少なさに対処するために、「地熱促進システム」（ＥＧＳ）のための技術開発に過去４０年にわたって約１，０００，０００，０００ＵＳドルが使われた。ＥＧＳは自然熱と水の入手容易性を必要とするが、乾いた岩石内に透過貯留層を創出（「設計」）するために圧力を共有する技術を利用する。透過性は自然地熱場所をまねて岩石構造を通じて熱を運ぶ水の十分な流れをもたらすに違いない。
【０００３】
安定した進歩がなされているものの、ＥＧＳはまだ他の電力生成形態とコスト競合できるかのボーダー上にある。中心的な問題は岩石構造を通じて注入ウェルから生成ウェルへ十分な量の温水の生産の困難性である。岩石構成物の熱伝導係数は概ね低いので、温水は表面エリアを最大化するためにほころびたゾーンの小さなひび割れを通じざるを得ず、望まれる熱は落ちる。このプロセスは注入ウェルを通じてまた高温岩石層を通じて水を下に流す大きなポンプと、電力生成のための表面に温水を持ち上げる追加的なポンプを要する。ポンプ使用それ自体はエネルギー集約的であり、全体的な電力出力上重大な寄生的な負担を課す。
【０００４】
閉鎖ループシステムは世界中の建物を温めたり冷やしたりするための地中熱ヒートポンプ（ＧＳＨＰ）地熱機器において非常に一般的である。概して、垂直ウェルが掘削されパイプが孔内を下に延びるか問題になっている建物付近の水平掘削内にコイルシステムが配置される。近くに適切な池又は湖があれば水の本体内に配置されるかもしれない。すべてのＧＳＨＰの機器において、表面下を循環するパイプは非常に浅く最終使用は直接の加熱または冷却が非常に局所集中する。ＧＳＨＰは概して一次品として電力を生産しないので、その設計上タービンや疑似タービン装置をパーツとして有しない。
【０００５】
こうして電力電力生成のために閉鎖ループの地熱手法はあまり使えない。いくつかの要因がこの比較的な無活動の要因であろう。たとえば、閉鎖ループタービン内の流体と周辺岩石または流体間の良い熱伝導を得るためにチューブの直径は比較的小さくなければいけない。しかしながら、熱伝導流体としての水は高圧でのポンピングを要する重大な降圧を生じる。このシステム上の規制的な負荷は全体的なプロジェクト経済性に有害である。さらに、良い熱効率を得るためのより小さいタービンは、多くの小さいチューブ（付随的に掘削コスト増加を伴う）かシステムを通じたより大きな圧力を要して、タービンを通じうる水量を減少させ、増加した圧力に耐えるために、ポンピングのまたはおそらくパイピングそれ自体のコスト増加につながる。
【０００６】
これらまたは他の問題を解決するためにいくつかのアプローチが試みられてきた。たとえば、様々な地熱方法がＵＳ特許およびＵＳ特許公開２０１１００４８００５、７０５９１３１、２０１１００６７３９９、２０１２０１４４８２９、２０１３０１９２８１６、２０１２０１７４５８１、２０１００１８０５９３および２００７０２４５７２９その他に開示されている。それにもかかわらず、地熱電力生成は多くのパートで非経済のままである。
【発明の概要】
【発明が解決しようとする課題】
【０００７】
発明の概要
１つの態様において、ここに開示された実施形態は電力生成のためのプロセスに関する。プロセスは第１の熱伝導流体を注入ウェルを通じて第２の熱伝導流体を含む地熱で加熱された層への注入を含む。第１の熱伝導流体は間接的熱交換を通じて注入ウェルと流体接続した中間ウェル経路において加熱され地熱で加熱された層内に配置される。加熱された第１の熱伝導流体は中間ウェル経路と流体接続した生成ウェルを通じて回収される。回復された第１の熱伝導流体内に含有された熱エネルギーは注入ウェルおよび生成ウェルと流体接続した電力生成ユニット内において変換される。
【課題を解決するための手段】
【０００８】
別の形態において、ここに開示された実施形態は電力生成のためのプロセスに関する。プロセスは注入ウェル、中間ウェル経路、生成ウェルおよび電力生成ユニットを含む閉鎖ループシステムを通じて超臨界の二酸化炭素を循環させることを含む。地熱で加熱された層は超臨界の二酸化炭素は自然または人工発生した熱伝導流体を含んで間接的熱交換を介して加熱される。加熱された超臨界の二酸化炭素に含まれた熱エネルギーは電力生成ユニット内において電力に変換される。
【０００９】
別の態様では、ここに示された実施形態は電力生成のためのシステムに関する。システムは第１の熱伝導流体を第２の熱伝導流体を含む地熱で加熱された層へまたはここから運搬する注入ウェルおよび生成ウェルを含む。システムはまた、注入ウェルを生成ウェルに流体接続し第１の熱伝導流体を第２の熱伝導流体に流体分離する中間ウェル経路を含む。中間ウェル経路は第２の熱伝導流体を含む地熱で加熱された層内に配置され第１の熱伝導流体は熱伝導層および第２の熱伝導流体によって間接的に加熱される。電力生成ユニットもまた提供され、加熱された第１の熱伝導流体から電力生成するよう設計される。
【００１０】
他の態様および利点以下の説明および添付の請求の範囲により明白となるであろう。
【図面の簡単な説明】
【００１１】
【図１】この実施形態による電力生成システムの単純化されたフローダイアグラムである。
【図２】この実施形態による開口された中間ウェル経路の断面図である。
【図３】この実施形態による複数の電力生成ユニットを含む電力生成システムの単純化されたフローダイアグラムである。
【図４】この実施形態による複数の電力生成ユニットを含む電力生成システムの単純化されたフローダイアグラムである。
【発明を実施するための形態】
【００１２】
詳細な説明
ここに開示された実施形態は地熱電力生成のためのシステムおよび方法に関する。より具体的に、ここに開示された実施形態は地熱で加熱された層内の伝導、対流、移流を介して間接的に加熱された超臨界の熱伝導流体を好適に使用する閉鎖ループシステムを用いる電力生成のためのシステムおよび方法に関する。
【００１３】
この実施形態による地熱システムは地質学層を通じて走るウェルシステムを含むかもしれない。この形成物の透過性は自然に発生する可水圧破砕、圧力共有、装薬、酸化または熱共有のようなある範囲の技術を用いて促進されるかもしれない。
【００１４】
地層は地熱および地層流体（すなわち第１の熱伝導媒体または熱伝導流体）を含み、間接的熱交換を介して、ウェルシステムを通じて循環する循環流体、第２の熱伝導媒体または流体にその熱を伝導する。地層流体は水、塩水または炭化水素またはその混合物を含むかもしれない。いくつかの実施形態では地層流体は水または塩水である。他の実施形態では地層流体は液体炭化水素または天然ガスを含む液体炭化水素の混合物である。炭化水素は層の温度または圧力状態において液体であるかもしれない。
【００１５】
地層に含まれた地層流体はいくつかの実施形態において自然発生するか、層内に既に存在する。他の実施形態では、地層流体は１またはそれ以上のウェルで地熱で加熱された層内に注入するなどにより地層に追加されるかもしれない。
【００１６】
形成物に含まれる地層流体を含む透過性のある地熱で加熱された層は約１００℃から５００℃の範囲の温度にあるかもしれない。いくつかの実施形態では、層および地層流体は約１５０℃から３５０℃の範囲の温度にあるかもしれない。
【００１７】
ウェルシステムは注入ウェルと生成ウェルを含むかもしれず、いずれかは垂直方向にまたは一方向に掘削される。第２の熱伝導流体が地上の水やシステム外の岩石に露出せず循環するよう注入ウェルと生成ウェルを接続して連続的なウェルシステムを形成する追加的なウェルを含むかもしれない。「中間ウェル経路」と称されるこの第３のウェルは概ね地層流体を含む地熱で加熱された層内に配置される。中間ウェル経路の全体長は地熱で加熱された形成物または一定レベル以下の地層流体内にある必要はないが、いくつかの実施形態では中間ウェル経路は完全に地熱で加熱された形成物内にある。上では３つの分離したウェルで説明されているが、この実施形態によるシステムは単一の一方向に掘削されたウェルのような単一のウェルまたは複数のウェルを介して形成されるかもしれない。たとえば、端部から端部までＵ形状を実現するためにコイル化されたチューブ掘削も可能である。代替的に、コイル化されたチューブまたは他の素材は注入ウェルまたは中間ウェルを通じて挿入され、その後に循環を実現するために生成ウェルに引き上げられてもよい。
【００１８】
操作中、第２の熱伝導流体は注入ウェルを降り中間ウェル経路を通じて循環する。中間ウェル経路において、注入ウェルの下層部と同様に、第２の熱伝導流体は地熱で加熱された層とその内部に含まれた地層流体の熱で間接的な熱交換で加熱される。このようにして、間接的な熱交換は層それ自体から導かれた熱エネルギーとたとえば伝導または対流によって中間ウェル経路にもたらされるかもしれない地層流体からの熱エネルギーを含むかもしれない。このようにして、システムは少なくとも１つの透過性層が存在し、地層流体が地熱で加熱される位置に配置され、その熱はその後伝導または対流によってパイプシステム周辺に伝導される。その正味の効果はエネルギーが常に利用可能で層内の自然流により安定して補充されることである。
【００１９】
中間ウェル経路で第２の熱伝導媒体が加熱された後、第２の熱伝導媒体は生成ウェルによって表面に運ばれる。第２の熱伝導流体はその後注入ウェルと生成ウェルの両方に流体接続した電力生成ユニットを起動してその内部に含まれた熱エネルギーを変換するために電力生成ユニットに提供される。いくつかの実施形態では、加熱された第２の熱伝導流体を運搬する生成ウェルは周囲の地質学層または空気との熱損失を防止するために絶縁される。電力生成ユニットは１またはそれ以上のタービン、タービンおよび電力生成機、ＣＯ２タービン、疑似タービン、これらを含む線形または非線形の動きにより電気的または機械的な力を引き出すタービン、ランキンサイクル電力生成システム内の熱交換器、ブライトンサイクルタービンまたは他の熱から有用な仕事または力をもたらす任意の機構を含むかもしれない。第２の熱伝導流体に含まれたエネルギーの変換に従い、第２の熱伝導流体は再循環のために電力生成ユニットから注入ウェルに向かうかもしれない。
【００２０】
全体的に、ここに開示された実施形態による電力生成システムはこうして注入ウェルを通じて第２の熱伝導流体を循環させるための閉鎖ループシステム、中間ウェル経路、生成ウェルおよび電力生成ユニットを含むかもしれない。システムを通じて循環する第２の熱伝導流体は１またはそれ以上の二酸化炭素、窒素、アンモニアおよび／または炭素数Ｃ１からＣ６を有するアミン、炭素数Ｃ１からＣ８を有する炭化水素、炭素数Ｃ１からＣ１０と塩素または窒素に置換される１またはそれ以上の水素とを有する炭化水素を含むかもしれない。いくつかの実施形態では、循環流体は超臨界の二酸化炭素である。
【００２１】
システムはまたバルブ、操作およびその他のシステムを調節操作する要素を含む。いくつかの実施形態では、システムはウェルシステムを通じて第２の熱伝導流体を循環させるためのポンプを含むかもしれない。他の実施形態では、ウェルシステムを通じた第２の熱伝導流体の循環は部分的にまたは完全に循環流体内の密度勾配から生じる。この循環形態は一般的に「熱サイフォン」と知られている。熱サイフォン循環が見込まれる場では、システムは最初に循環する熱伝導流体を供給して圧する１またはそれ以上の初期ポンプを含むかもしれない。
【００２２】
図１を参照して、この実施形態の電力生成システムの単純化されたフローダイアグラムが図示される。電力生成システムは地表面から地熱で加熱された層２００に向けて地下に延びる単一の注入ウェルまたは注入ウェルの集まりかもしれない注入ウェル１００を含む。電力生成システムはまた地表面から地下に延びる単一の生成ウェルまたは生成ウェルの集まりかもしれない生成ウェル１２０を含む。
【００２３】
注入ウェル１００の下方端部は中間ウェル経路１１０の第１の端部と流体連結され、中間ウェル経路は部分的または全体的に地熱で加熱された層２００内に配置され、層の孔または割れ目スペース内に配置された熱伝導流体を含み、伝導または対流によって層内を動くかもしれない。生成ウェル１２０の下側端部は中間ウェル経路１１０の第２の端部と流体結合する。
【００２４】
注入ウェル１００と生成ウェル１２０のの上側端部は導管１５０、１３０を介してそれぞれ流体結合され、それぞれ電力生成ユニットと結合される。導管１５０、１３０は電力生成ユニットを起動し、循環流体の注入または回復を調節するために生成ウェル１２０と注入ウェル１００を接続するために必要なポンプ、パイプおよび調節システム（示されていない）を含むかもしれない。
【００２５】
注入ウェル１００は地熱で加熱された層内の第１の深さへの掘削孔を介して配置される。掘削孔はいくつかの実施形態では収納されるかセメント固定される。同様に、生成ウェル１２０は地熱で加熱された層内の第２の深さへの掘削孔を介して配置され、第２の深さは注入ウェルの深さと同じか異なるかもしれない。生産掘削孔もまたいくつかの実施形態では収納されるかセメント固定される。いくつかの実施形態では、生産掘削孔の下側端部の深さは注入ウェル掘削孔の深さよりも小さい。
【００２６】
中間ウェル経路１１０はまた掘削孔を通じて配置されるかもしれない。中間ウェル経路１１０は注入ウェル１００と生成ウェル１１０の１つまたは両方の連続、または別途掘削された孔かもしれない。中間ウェル経路１１０もまた収納された掘削孔かもしれない。
【００２７】
いくつかの実施形態において中間ウェル経路１１０は直接掘削を介して配置されるかもしれない。比較的直線の路として図示されているけれども、中間ウェル経路１１０は仰角や地層を含む地層流体内に残る方向に様々な変化を含む。いくつかの他の実施形態では、中間ウェル経路１１０は地熱で加熱された層を横断する形態で、循環する流体は注入ウェル１００から生成ウェル１２０（すなわち現在の熱交換に類似する）に沿って、層内で温度勾配が自然発生するという利点を有して、層温度上昇に遭遇する。
【００２８】
いくつかの実施形態では、中間ウェル経路１１０は注入ウェル１００の深さがほぼ生成ウェル１２０と同じである水平に配置されてもよい。他の実施形態では、中間ウェル経路水平方向から±７５°などの一定の角度を有して配置されてもよい。
【００２９】
中間ウェル経路１１０は注入ウェル１００と生成ウェル１２０を流体接続する単一のパイプまたは複数のパイプを含むかもしれない。パイプは鋼または腐食耐性のある鋼を含む他の金属、または鋼補強パイプを含む熱プラスチック、ゴム、またはエラストマーで形成される。使用される素材のタイプは地層流体、地熱で加熱された層の状態（温度、圧力など）、循環流体および加熱部の全体的な長さまたは表面部に依存するかもしれない。たとえば、比較的短い中間ウェル経路は高い導電素材を有し、長いパイプ路は循環流体を運搬するためにより低い導電素材の使用が可能かもしれない。
【００３０】
図１で示したシステムでは、循環する流体の流れは注入ウェル１００から中間ウェル経路１１０を通じて時計回りに進み、循環流体は間接的熱交換を介して層および周囲の熱伝導媒体（地層流体）とともに生成ウェル１２０、伝導ライン１３０を通じおよび電力生成ユニット１４０内で加熱され、今は地熱で加熱された熱伝導流体（循環流体）からの熱および／または圧力の形態のエネルギーは電力または他の有用な仕事に変換される。熱伝導流体はその後伝導ライン１５０を通じて電力生成ユニットから注入ウェルに運搬されて循環が再開する。
【００３１】
伝導ライン１３０、１５０は注入ウェルおよび生成ウェルを電力生成ユニットに接続するために必要な長さかもしれない。いくつかの実施形態においては、注入ウェルおよび生成ウェルへの一定方向の掘削は伝導ラインをほんの少し長くして電力生成ユニットの位置から始めてもよいことが想定される。
【００３２】
上に記載したとおり、中間ウェル経路１１０は注入ウェル１００から生成ウェル１２０へ地熱で加熱された層を動くにつれて段階的に増えるおよび／または減る。循環流体はここで循環内のすべてのポイントにおいて臨界ポイント（すなわち臨界圧力と臨界温度の双方を超える）上またはそれを超えて維持される。結果として、パルス流または高低の密度の循環流体の隣接ポケットは昇進変化が顕著な場所であっても形成されない。ここでの実施形態による循環流体または循環流体混合物の臨界点を超えた操作は地層内または電力生成に適さない位置での好適な地熱電力生成をもたらす。
【００３３】
いくつかの実施形態においては、ウェルシステムを循環する第２の熱伝導流体は臨界点を超えた二酸化炭素、ｓＣＯ２である。臨界点を超えた二酸化炭素は熱伝導流体として水を超えるいくつかの利点を有する。たとえば、ｓＣＯ２の密度は温度に応じて素早く変化させることができる。この密度変化は熱サイフォンとも呼ばれる密度サイフォンの始まりを起こし、ウェルシステムを通じたｓＣＯ２の循環を起こし、おそらくシステム起動中を除き機械ポンピングを全く要しないかほとんど要しない。さらに、ｓＣＯ２タービンは同一の圧力、温度および流率において蒸気タービンよりも効率的であり、比較対象の出力上記タービンに比べて著しく体積が小さいという利点を有する。これらの効果の両方が類似の水を熱伝導媒体として使用した閉鎖ループシステムと比較してシステムの有用性を増す。
【００３４】
注入ウェル１００、中間ウェル経路１１０および生成ウェル１２０の直径は同一または異なる。いくつかの実施形態では、生成ウェル１２０の直径は中間ウェル経路１１０よりも大きく、生成ウェル１２０内での循環する熱伝導流体からの熱損失を少なくするかもしれない。熱損失はまた注入ウェル１２０と表面伝導ライン１３０を断熱することによっても低減できる。他の実施形態では、生成ウェル１２０は注入ウェル１００よりも小さい直径を有する。それぞれのセクションの直径は循環する流体の流率、圧力降下制限、層の温度、望ましい循環流体の温度上昇、圧力降下による温度損失に依存する。
【００３５】
他の実施形態では、注入ウェルの直径は中間ウェル経路と生成ウェル双方の直径よりも小さくてもよい。さらに他の実施形態では、生成ウェルと中間ウェル経路の直径は表面から注入ウェルとの交差ポイントまでの距離が増すにつれて段階的に減少する。直径の変化は中間ウェル経路における荒れを好適に減少させ、超臨界の循環流体への熱伝導を改善する。他の実施形態では、１またはそれ以上の乱流を減少させる装置は循環流体への熱伝導を促進するために中間ウェル経路に配置されてもよく、システムを通じた全体的な圧力低下が懸念されるものの、超臨界の循環流体の使用はそのような装置を通じて顕著な圧力降下を生じない。したがって、熱伝導の増した恩恵はわずかな圧力降下の短所を上回る。
【００３６】
図１に示されたように、単一の中間ウェル経路は注入ウェル１００と生成ウェル１２０を内部接続する。いくつかの実施形態では、２またはそれ以上の中間ウェル経路１１０は注入ウェル１００と生成ウェル１２０を流体接続するために使用される。複数の中間ウェル経路１１０は同一の高度にあるかもしれず、同一層の異なる高度または軌道にあるかもしれず、同一または異なる地層流体を含有する異なる層内で異なる高度にあるかもしれない。たとえば、第２の中間ウェル経路（示されていない）注入ウェル１００と生成ウェル１２０を流体接続して層２１０内に配置される。複数の注入ウェル１００および中間ウェル経路は共通の生成ウェル１２０に可熱された循環流体を供給するために使用される。
【００３７】
図１に示されたような中間ウェル経路１１０は層から循環流体を流体分離する単一のパイプまたはケーシングかもしれない。地層流体からの熱伝導は上に記載したとおり熱を有し層内の自然流によって安定して補充されるが、ここでの実施形態は熱伝導を促進するために中間ウェル経路に近い地層流体の流れの励起を期待する。いくつかの実施形態では、中間ウェル経路１１０に近い層では、中間ウェル経路周辺の地層流体の流れを改善して励起するかもしれない。たとえば、中間ウェル経路周辺の層は、爆破、水破、推進励起、酸化などの方法で砕かれてもよい。他の例として、ドラフト井が中間ウェル経路の近い層内の地層流体の流れを分けるために使用され、直接熱伝導のための層を通じた熱伝導流体のポンピングの際通常使用され部分的な流れのみ誘導し、循環流体への熱伝導における改善と比較してポンピングへの熱損失は受け入れ可能である。中間ウェル経路に近い流体の流れを励起する他の方法もまた使用されるかもしれない。
【００３８】
図２に示されたような他の実施形態では、中間ウェル経路１１０は開口ケーシング１１２および開口ケーシング内に配置され層から熱伝導流体を流体分離する１またはそれ以上の流れ導管１１４（チューブまたはパイプ１１４）を誘導する。中間ウェル経路の最終端部において、個別のウェル１１４はヘッダにおいてそれぞれ分割されても統合されてもよく、注入ウェル１００および生成ウェル１２０と関連し、またはその内部に配置される。
【００３９】
開口ケーシング１１２は開口１１６を通じて管状スペース１１８内へまたは管状スペース１１８から外へ地層流体の流れを許容する。管状スペース内の空洞体積は周辺の層よりも著しく大きく、熱伝導流体に近接する地層流体の循環を増し、地層流体の循環流体への対流、移流および／または導電熱伝導を改善する。外部井の開口は油田またはガス田の完成に用いられる形状破砕などの任意の便利な方法で実行される。
【００４０】
複数のチューブまたはホースが用いられるならば、そのチューブやホースは１群のパイプ、チューブ、またはホースを一体に保持するために個別または束でラップされた開口パイプ内に挿入される。たとえば、開口セクション内に配置された複数のより小さなチューブは螺旋状にラップされた２またはそれ以上のチューブまたはホースを含むかもしれず、外部ラッピング要素によって一体に保持される。他の実施形態では、２またはそれ以上のチューブまたはホースは１またはそれ以上の仕切り要素によって対にされるかもしれず、露出した表面エリアからの損失を最小化しつつ、設定を補助する。
【００４１】
内部流媒体１１４の配置された中間ウェル経路１１０の開口と地層流体から循環流体を流体分離するための注入ウェルおよび生成ウェル１１０の封止はシステム設定コストを増加するかもしれない。しかしながら、熱伝導の促進は管状スペース１１８内の地層流体の循環の増加から生じても、より小さな直径の複数のパイプを有して熱交換表面エリアの増加から生じても著しく追加コストが上回る。いくつかの実施形態では、たとえば、熱伝導の促進は設定コストを下げるだけでなく、注入ウェルと生成ウェルを接続するときに１方向への正確な掘削を改善する著しく短い中間ウェル経路の使用を許容するかもしれない。
【００４２】
中間ウェル経路１１０の全長は、以上に述べたとおり、いくつかのファクターに依存するかもしれない。たとえば、循環流体内の望ましい温度上昇に要する長さは地熱で加熱された層内の温度および利用可能な熱、熱伝導パイプ（中間ウェル経路およまたはその内部に配置されたチューブ）の構造の素材、ユニット長あたりの熱交換表面エリア、地層流体および層の特性（導電性、透過性、多孔性など）、他の要因に依存する。ここで説明された実施形態は熱伝導効果を促進するかもしれないが、いくつかの実施形態では、中間ウェル経路の要する長さは１ｋｍよりも長く、２ｋｍよりも長く５ｋｍよりも長いかもしれない。
【００４３】
中間ウェル経路の長さが増すにつれ、電力生成ユニットから生成ウェルへ循環流体を運搬するための伝導パイプに必要な長さは比例的に増加する。表面上のパイプを最小化するまたは表面化に最少に位置させるために、注入ウェルと生成ウェルの１または双方は一方向を向いたウェル（すなわち垂直でない）かもしれず、表面端部が電力生成ユニットに近接して位置し、表面下の端部が十分な長さの中間ウェル経路のために電力生成ユニットからそれる。
【００４４】
図３および４は伝導パイプ長を効果的に最小化する代替的な実施形態を図示し、２またはそれ以上の電力生成ユニットが連続して接続される。図３に示されるように、２つの電力生成ユニット３１０、３１２は連続して接続される。循環流体は電力生成ユニット３１２から注入ウェル３１４に注入されて中間ウェル経路３１６内で加熱される。加熱された循環流体はその後生成ウェル３１８内で回復され電力生成のために電力生成ユニット３１０に伝導される。電力生成に続いて、利用された循環流体は電力生成ユニット３１０から注入ウェル３２０に移動されて中間ウェル経路３２２内で加熱される。加熱された循環流体は生成ウェル３２４内で回復され電力生成のために電力生成ユニット３１２に伝導される。
【００４５】
図３に示された中間ウェル経路３２２は中間ウェル経路３１６よりも著しく短いけれども、図は縮尺通りではなく３次元システムを正確に描いていないため、実際の長さは同じくらいかもしれない。こうして、それぞれの電力生成ユニット３１０、３１２からの電力生成は同様かもしれない。わずかまたは著しい長さの違いが生じるところでは、他のシステム変数が同様の電力生成輪郭となるために調節されるかもしれない。たとえば、より短い中間ウェル経路３１６はより長い中間ウェル経路３２２よりも深いところに配置されるかもしれず、より高い温度の層および地層流体に晒されて同様に循環流体出力断面を達成する。代替的に、電力生成は電力生成ユニット間で変化されるかもしれない。たとえば、第１の電力生成ユニット３１２は１０ＭＷの電力を生み出すためにＣＯ２タービンを有して設計され、第２の電力生成ユニット３１０は２０ＭＷの電力を生み出すために複数のＣＯ２タービンを有して設計され、追加的な中間ウェル経路長が電力生成増加をもたらすかもしれない。中間ウェル経路の設計はサイズに関わらず商業的に利用可能なタービンを効果的に活用して調節され、所定のキャパシティから実質的に任意の増加状態で操作された耐性を効果的に活用する。図３に示されたような複数の電力生成ユニットサーキットでは、中間ウェル経路は同様または異なる方向または高度かもしれず、同様または異なる建築の素材を使用し、一方は開口中間ウェル経路を有し他方は持たないような同様または異なる熱伝導ネットワークを含むかもしれない。
【００４６】
図４の実施形態に示されるように、複数の電力生成ユニットは連続して接続される。１つの電力生成ユニットから注入ウェル４１２を通じた循環流体は中間ウェル経路４１４内で加熱され生成ウェル４１６内で回復され、加熱された循環流体を第２の電力生成ユニットにもたらす。ここで説明された連続は複数の注入ウェル、電力生成ウェルおよび生成ウェルを有して何回も繰り返される。望ましいまたは地熱で加熱された層との使用に耐えうるリピートユニットには多くの複製がある。
【００４７】
図４に示されたような複数の電力生成ユニットサーキットは図３に示されたのと同様で、中間ウェル経路は同様または異なる方向または高度かもしれず、同様または異なる構築素材を用い、一方は開口中間ウェル経路を有し他方は持たないような同様または異なる熱伝導ネットワークを含むかもしれない。異なる高度および方向の使用は層からの利用可能な利用可能な熱の捕捉を改善する。いくつかの実施形態では、ここでの実施形態によるネットワーク化されたウェルシステムは３０年の稼働期間にわたって、地熱資源内に利用可能な熱の２０％以上を補足するよう設計され、他の実施形態では２５％以上である。
【００４８】
さらに表面パイプ路を最小化するために図３および図４の実施形態は電力生成に関する弾力性を提供する。高い要求のピリオドから低い要求のピリオドまで電気サイクルへの要求はたとえば暖かい日中の空調装置に電力を与える要求の増加から来るかもしれない。図３および図４に示されたループシステムはより小さなタービンおよび電力生成機のネットワークを提供するかもしれず、こうして管理された出力が許容される。たとえば、パイプとバルブ電力生成ユニット周辺の循環流体の部分の迂回を提供するかもしれず、これに関連して電力ユニットからの電力出力の低下をもたらすかもしれない。代替的にまたは追加的に、パイプおよびバルブは電力生成ユニット周辺の循環流体を完全に迂回して提供されるかもしれない。
【００４９】
部分的にまたは完全に電力生成ユニットを迂回するとき、循環流体内の望ましくない温度上昇を避けるために、電力生成を伴わずに循環流体から熱の一部を抜き出す膨張機、冷却機、熱交換ユニットまたは他の装置が提供されるかもしれない。流率および他の変形もまた地熱で加熱された層から引き出す熱量を減少させて調節される。たとえば、開口パイプを含み４つの内部熱交換パイプを含む（図２の１１４）中間ウェル経路のために、１またはそれ以上のパイプを通じる流れはバルブなどにより制限されるかもしれず、これによりそのセクションの循環流体の流率を増し熱交換エリアの２５％、５０％、または７５％を除去し、ウェル内セクションを通じる層から引き出すエネルギーの減少をもたらす。次の電力生成ユニットの迂回または部分的迂回に続き、次の中間ウェル経路は同様のバルブ構成によるなどして、後に続く電力生成ユニットでの電力生成のために必要なエネルギーを提供するよう設計されるかもしれない。他の実施形態では、複数の中間ウェル経路がタービンにエネルギーを提供することが要求される部分などで、１またはそれ以上のこれらのラインは流率を調節し電力生成をもたらすために分岐するかもしれない。
【００５０】
図３および図４のループシステムはこうして電力生成弾力性を提供し、予測可能なベースロード電力キャパシティと５分、１５分または６０分のインターバルのような短い時間ピリオドでの相当なパーセンテージによる出力電力の低下が可能な反応の速い弾力的な電力低下率との唯一無二の組み合わせをもたらす。ループシステムは追加的に表面露出または表面近くの設置面積または表面上の伝導パイプを最小化し、低排出または無排出と、水の最少消費または無消費、および他の魅力的な貢献を有する。可能な時に高い電力生成収入の獲得の弾力性は重要なターンダウン区別を提供する一方で他の再生可能エネルギーからのループシステムが現在思考され、また、利用可能である。
【００５１】
上に述べたとおり、ここで開示された実施形態は地熱で加熱された層から流体分離されたパイプシステムを通じて循環する熱伝導流体の地熱による加熱を介して十分な電力生成を提供する。循環流体は超臨界流体であり、いくつかの実施形態では超臨界の二酸化炭素かもしれない。超臨界の二酸化炭素（ｓＣＯ２）は水などの他の熱伝導流体に対して、１）ｓＣＯ２は水よりも粘度が低く小さい直径のパイプやチューブをより容易に動くことができ、こうしてｓＣＯ２の熱キャパシティは水よりも低くても一度により多くの熱を除去できる。２）システムウェルの注入側と生成側の温度差による密度差はシステムを通じてｓＣＯ２がポンプの必要と関連する規制的な電力ロスが限定されまたはない熱サイフォンを形成する、という利点を有する。ｓＣＯ２の第３の重要な利点は水に比べて多くの鉱物層との反応性が低く、それにもかかわらず、ループシステムを通じた任意のＣＯ２の漏洩は時間にわたっていくつかの鉱物層と反応し、最悪のケースではＣＯ２を有する一定の鉱物層の反応により形成された炭化物による層透過性の閉塞を生じうる。追加的な利点として、ｓＣＯ２は水よりも強力な効率性でタービンを動かすことができる。
【００５２】
普及している意見はｓＣＯ２地熱電力生成は、ｓＣＯ２が実質的に層内に失われる亀裂がほとんどない高温乾燥岩に最も適する。これは水の含有と層の閉塞と対にして、ｓＣＯ２地熱電力生成の発展を妨げる。しかしながら、上に述べたとおり、ここに開示された電力生成システムの実施形態は超臨界の流体損失および水含有に関する問題に取り組み、ｓＣＯ２と他の超臨界流体を地層流体を含む地熱で加熱された層からの電力生成に効果的に使用され、こうして実効性と経済性の双方を改善する。また、閉鎖システムにおいてｓＣＯ２などの超臨界流体を含むことにより、水または鉱物の汚染が回避され、電力生成装置内の腐食や鉱物堆積を防止する。
【００５３】
ここに開示された実施形態は従前のプロジェクトよりも経済的に小さい熱資源であり、典型的には最少２５ＭＷのキャパシティを有する。さらに、熱はただの自然の要求であることから、ここに開示された実施形態は、熱、水および高い透過性を同時に交差させなければならない熱水ウェルよりも本来的にリスクが低い。ここでの実施形態は約１０ＭＷステップなどで電力出力の増加を提供する。
【００５４】
ここに開示された実施形態は、概ね十分な熱を有するが流量の十分な透過性を欠き、契約上の電力出力に達しないか、腐食率が高いか、水内で堆積や有害物質が生じる失敗プロジェクトまたはウェルの再生に利用されるかもしれない。これらの失敗システムはここでの実施形態での特徴に、たとえば開口中間ウェル経路などによって熱伝導効率を改善するために中間ウェル経路の修正または含有を介して改良される。
【００５５】
ここで開示された実施形態は追加的に、効果的かつ効率的な電力出力管理を好適に提供する。ここで開示された実施形態は要求サイクルに合致するよう電力出力を制御して容易にターンダウンできる。ここで開示されたシステムの他の利点は上でほのめかされ、あるいは以下の説明により当業者に明らかである。
【００５６】
開示は限定された数の実施形態しか含まないものの、この開示によって恩恵を受ける当業者は本開示範囲から逸脱しない他の実施形態の改良を理解するであろう。したがって、その範囲は添付の請求項によってのみ限定されるべきである。